(57)【要約】      （修正有）【課題】係留する船において、より安く、簡単に、しかも短時間で海草や牡蠣などを駆除できる船底カバーを提供する。【解決手段】棒１に巻かれたシート２を船尾に鳩目２ａを利用して紐２ｂで縛り、棒１に巻かれたシート２を船底に置く。船外機４を後進することで水流によって船底をカバーし、展張したシートをそれぞれの鳩目２ａを利用して紐２ｂで船に縛り固定する。船底をシート２でカバーした間に、除草剤などを投入して海藻を駆除する。【選択図】図１
2010274755.tif 000002
【特許請求の範囲】
【請求項１】
棒（１）に巻かれたシート（２）と、該シート（２）には鳩目（２ａ）が多数付いていて、該鳩目（２ａ）を利用して、紐（２ｂ）で船（３ａ）に縛り、
該シート（２）でカバーした船底（３）の間に、除草剤などを入れ海藻などを駆除することを特徴とする船底カバー。
【発明の詳細な説明】
【技術分野】
【０００１】
本発明は、船外機や船内外機に関し、船底をシートでカバーして、その中に除草剤を入れ海藻を駆除する船底カバーに関するものである。
【背景技術】
【０００２】
従来、湾内の海上に係留する船は、時間の経過と共に船底に海藻や牡蠣などが付着、成長し、そのまま放置すると航行性能が低下するばかりでなく、航行不能となってしまうこともある。この防止策として、古くから防汚塗料による船底塗料が塗られているが、毒物規制もあって未だに長期にわたって十分な機能を持った船底塗料は開発されていない。
【０００３】
また、船底塗料が海草などを駆除できる物があったとしても、釣りをする生簀を装備している船には、魚が死んでしまうことがあり、特に生簀を装備した船には海草を駆除するだけでなく、魚にはあまり影響の無い物が選ばれていた。
【０００４】
そのため、船底塗料を使用しない方法として、従来は、船底を覆うカバーに関して多くの発明が成されている。例えば、特開２００３−１０４２８５の名称、小型船用船底防汚シートの構造などの用に、シートカバーを停泊中の船体の脱着操作が簡単で、安価で、防汚性能の良い物があった。
【先行技術文献】
【特許文献】
【０００５】
【特許文献１】特開２００３−１０４２８５
【特許文献２】特開２００２−２６４８８９
【特許文献３】特開２００１−６３６８６
【特許文献４】特開２００１−２３９９８９
【特許文献５】特開平１０−２７８８７８
【特許文献６】特開平６−２５５５８１
【発明の開示】
【発明が解決しようとする課題】
【０００６】
従来、湾内の海上に係留する船は、時間の経過と共に船底に海草や牡蠣などが付着、成長し、この防止策として、古くから防汚塗料による船底塗料が塗られているが、毒物規制もあって未だに長期にわたって十分な機能を持った船底塗料は開発されていない。
そこで、特開２００３−１０４２８５の名称、小型船用船底防汚シートの構造などの用に、シートカバーを停泊中の船体の脱着操作が簡単で、安価で、防汚性能の良い物があったが、そのシートカバーは停泊場所を独占する物であった。
【０００７】
そこで、本発明の船底カバーは、棒（１）に巻かれたシート（２）と、シート（２）には鳩目（２ａ）が多数付いていて、鳩目（２ａ）を利用して紐（２ｂ）で縛り、船底をシート（２）でカバーした船底（３）の間に、除草剤などを投入して駆除する船底カバーを提供するものである。
【課題を解決するための手段】
【０００８】
上記目的を達成するために、本発明の船底カバーは、棒（１）に巻かれたシート（２）を、船尾に鳩目（２ａ）を利用して紐（２ｂ）で縛り、棒（１）に巻かれたシート（２）を船底（３）に置く。
そこへ船外機（４）で、後進すればシート（２）は船底（３）を水流によってカバーし、それぞれの鳩目（２ａ）を利用して、紐（２ｂ）で船（３ａ）に縛り固定する。
そして、シート（２）と船底（３）の間に除草剤などを入れることで、カバーされた船底（３）には、海藻や牡蠣などが生きていけない状態にすることで目的を達成した。
【発明の効果】
【０００９】
本発明の船底カバーは、次のような効果がある。
（イ）船外機を利用して簡単に取り付け、取り外しができる。
（ロ）除草剤などを入れることで、海藻や牡蠣などを駆除する。
（ハ）この様な方法であるため簡単で安く、船底塗装が不要になった。
【図面の簡単な説明】
【００１０】
【図１】図は、船底をシートでカバーした状態の斜視図である。
【図２】図は、本発明の棒とシートの平面図である。
【図３】図は、船尾にシートを縛った状態の側面図である。
【図４】図は、船外機を下ろした状態の側面図である。
【図５】図は、船外機を利用してシートを船底に渡した状態の側面図である。
【図６】図は、シートを船に取り付けた状態の側面図である。
【図７】図は、船外機を利用してカバーを外した状態の側面図である。
【発明を実施するための最良の形態】
【００１１】
本発明の船底カバーは、船外機（４）を停泊する状態のように傾け、その船尾と船外機（４）の間に、棒（１）に巻かれたシート（２）を差し込み、シート（２）の端を船尾に鳩目（２ａ）を利用して紐（２ｂ）で縛る。
そして、棒（１）を船底（３）に持っていくと、後は船外機（４）を利用して後進すると、棒（１）に巻かれたシート（２）は船首の方に、棒（１）に巻かれたシート（２）が解け、船底をカバーできる。
【００１２】
そして、船首を巻くように棒（１）を取り、それぞれの鳩目（２ａ）を紐（２ｂ）で船（３ａ）に固定し、その中に除草剤などを入れ、海藻や牡蠣などが生きていけない状態にする。
船底カバーを外すときは、船首の棒（１）を残して、後は紐（２ｂ）を解き、船外機（４）で後進することで水流と後進するのでシート（２）は簡単に取れ、棒（１）に巻取しまうことができる。
【実施例】
【００１３】
以下、本発明の実施例について図面を参照して説明する。
図１は、船底カバーをした状態の斜視図であり、その状態にするように各工程ごとに説明する。船外機（４）を取り付けた船（３ａ）は、１８尺の船（３ａ）で、凡そ５．５ｍある。
【００１４】
図２は、船底カバーをする前の棒（１）とシート（２）の平面図である。その棒（１）は木製で、シート（２）は縦が７．３ｍで、横が３．６ｍのブルーシート（２）で、ブルーシート（２）も水に浮くことが望ましい物を使用した。本発明は、その様な簡単な物であるから、市販の物干し竿とブルーシートでも代用できが、棒（１）とシート（２）がきちんと接合され、シート（２）も市販品なら皺があるが、折角棒（１）があるので、その棒（１）に巻くと皺ができなくて良い。
【００１５】
図３は、船外機（４）を停泊する状態のように傾け、その間に棒（１）に巻かれたシート（２）を差し込み、シート（２）の端を船尾の鳩目（２ａ）を利用して紐（２ｂ）で縛って、棒（１）に巻かれたシート（２）を、船底（３）の端に持っていった状態の側面図である。船尾の、端の所は手が届く場所なので、誰にでも出来るはずである。
【００１６】
図４は、船外機を下ろした状態の側面図である。このとき、巻いたシート（２）の向きに注意し、もしも反対ならば船外機（４）で、幾ら後進しても、船底（３）にシート（２）でカバーが出来なくなるので注意する。
【００１７】
図５は、棒（１）を船底（３）に持っていくと、後は船外機（４）を利用して後進すると、棒（１）に巻かれたシート（２）は、水流と後進によって船首の方に転がって広がり、船底をカバーできる状態の側面図である。
このとき、棒（１）とシート（２）は水よりも軽い物を使うと、シート（２）に具備された鳩目（２ａ）を水中から取るときに、水面に浮かぶ方が取り易い。
【００１８】
図６は、船首を巻くように棒（１）を取り、それぞれの鳩目（２ａ）を紐（２ｂ）で船（３ａ）に固定し、その中に除草剤などを入れ、海藻や牡蠣などが生きていけない状態にする側面図である。
除草剤には、一般の漁業関係者のあいだでは洗濯用の漂白剤が用いられていて、漂白剤を混ぜると海藻のあおさなどは２分たたないうちに色が変わって死滅する。したがって、長時間放置するときは漂白剤を１万倍に薄めるぐらいの量で良いし、１時間以内と時間に限りのある場合には、原液に近い方が早く漂白でき、海藻や牡蠣が死滅する。
【００１９】
図７は、船底カバーを外すときは、船首の棒（１）を残して、後は紐（２ｂ）を解き、船外機（４）で後進することで、シート（２）は簡単に取れる状態の側面図である。後は、棒（１）にシート（２）を巻取しまうことができる。そして、死滅した海藻や牡蠣は、航行すると海水の抵抗で落ちて綺麗になる。
【００２０】
以上のような方法であるため、係留していても船外機（４）で後進するときの水流でシート（２）を広げることができる。また、しまうときにも水流を利用して船底（３）に巻いたシート（２）を除けることができる。また、係留場所が狭いときには、沖で船底カバーをして、ゆっくりと走ることは、何の問題もない。
【００２１】
また、船外機（４）だけでなく、船内外機にも使用でき、要するにスクリューと船底（３）の間に棒（１）に巻かれたシート（２）が入る物なら、この方法で船底（３）をカバーできる。
【符号の説明】
【００２２】
１  棒    
２  シート                ２ａ  鳩目              ２ｂ  紐
３  船底                  ３ａ  船
４  船外機
【図１】
2010274755.tif 000003
【図２】
2010274755.tif 000004
【図３】
2010274755.tif 000005
【図４】
2010274755.tif 000006
【図５】
2010274755.tif 000007
【図６】
2010274755.tif 000008
【図７】
2010274755.tif 000009